(57)【特許請求の範囲】
【請求項１】
櫛歯の根本部に近い位置で、かつ櫛歯側面に開口する吐出孔が穿孔された櫛歯を具えた櫛体と、その櫛基体部に廻動自在に取付けられ、櫛体を囲むことが可能な毛髪挟持部材と、毛染剤を収容した容器とからなる毛染用具であって、
毛髪挟持部材が、挟持部と操作部とからなり、
挟持部は、先端のすくい部と、すくい部に連設され、くの字状に屈曲された両側の挟持枠と、端枠とを具え、
挟持枠は、毛染め時の毛髪挟持時に櫛歯の吐出孔が位置する根本部に近い部分の櫛体両側面を囲むようになっており、
操作部は、毛髪挟持部材の廻動面に沿って延設された指掛け操作部を具えていることを特徴とする毛染用具。
【請求項２】
櫛歯の根本部に近い位置で、かつ櫛歯側面に開口する吐出孔が穿孔された櫛歯を具えた櫛体と、その櫛基体部に廻動自在に取付けられ、櫛体を囲むことが可能な毛髪挟持部材と、毛染剤を収容した容器とからなる毛染用具であって、
毛髪挟持部材が、挟持部と操作部とからなり、
挟持部は、先端のすくい部と、すくい部に連設され、くの字状に屈曲された両側の挟持枠と、端枠とを具え、
挟持枠は、毛染め時の毛髪挟持時に櫛歯の吐出孔が位置する根本部に近い部分の櫛体両側面を囲むようになっており、
操作部は、毛髪挟持部材の廻動方向に押圧可能な押圧操作板であって、押圧操作板と櫛体の取付筒との間に、ばね体を弾装したことを特徴とする毛染用具。
【請求項３】
毛染剤を収容した容器が、スクイズ容器であって、
操作部を操作して毛髪を挟持するとともに、胴部の押圧を可能としたことを特徴とする請求項１または２記載の毛染用具。
【請求項４】
毛染剤を収容した容器が、エァゾール容器であって、
操作部を操作して毛髪を挟持するとともに、毛髪挟持部材を押下げることにより、ステムが押下げられるようにしたことを特徴とする請求項１記載の毛染用具。
【請求項５】
毛髪挟持部材の挟持枠に、最下端の櫛歯に対向する位置にストッパーを設けていることを特徴とする請求項１〜４のいずれかの項に記載の毛染用具。
【発明の詳細な説明】
【０００１】
【発明の属する技術分野】
本発明は、毛染用具、とくに、櫛、ブラシ等の毛染剤塗布具を取着した毛染用具に関する。
【０００２】
【従来の技術】
毛染剤を内蔵させたエァゾール容器にブラシ等の塗布具を取着した毛染用具において、ブラシ等の毛染剤塗布具に毛髪挟持部材を廻動自在として取付け、ブラシ等の塗布面と毛髪挟持部材との間に毛髪を挟持し、挟持した毛髪に毛染剤を塗布するようにした毛染用具は、従来より知られている（例えば、特開平１１−１２７９４４号公報、特開平１１−１２７９４５号公報参照）。
【０００３】
上記公報記載の毛染用具は、いずれも毛髪挟持部材による毛髪の挟持とともに、ステムの押下げ操作もでき、毛染操作が簡易であるという優れた効果を持っている。
【０００４】
【発明が解決しようとする課題】
しかしながら、上記各公報記載の毛髪挟持部材は、毛染剤容器がエァゾール容器の場合には有効であるが、スクイズ容器にはむかなかった。
すなわち、スクイズ容器では、容器胴部の押圧操作をしなければならないが、上記の毛髪挟持部材を採用しても、毛髪の挟持とともに容器の押圧操作をすることができないという問題があった。
また、上記各公報記載の毛髪挟持部材は、毛染剤塗布具を櫛体としたときには、採用することができなかった。
【０００５】
本発明は、上記事情を考慮し、毛染剤塗布具と毛髪挟持部材との間に毛染めしょうとする毛髪を挟持するようにした毛染用具において、毛髪挟持部材の挟持操作を一層容易になるよう改善するとともに、容器の胴部の押圧操作も容易にできるようにすること、あるいはエァゾール容器の場合には、挟持操作とステム押下げ操作が容易にできるようにすることを課題とし、新規な毛染用具を提供することを目的とする。
【０００６】
【課題を解決するための手段】
本発明は、上記の課題を解決するため、毛染用具として、櫛歯の根本部に近い位置で、かつ櫛歯側面に開口する吐出孔が穿孔された櫛歯を具えた櫛体と、その櫛基体部に廻動自在に取付けられ、櫛体を囲むことが可能な毛髪挟持部材と、毛染剤を収容した容器とからなる毛染用具であって、毛髪挟持部材が、挟持部と操作部とからなり、挟持部は、先端のすくい部と、すくい部に連設され、くの字状に屈曲された両側の挟持枠と、端枠とを具え、挟持枠は、毛染め時の毛髪挟持時に櫛歯の吐出孔が位置する根本部に近い部分の櫛体両側面を囲むようになっており、操作部は、毛髪挟持部材の廻動面に沿って延設された指掛け操作部を具えていることを特徴とする構成を採用する。
【０００７】
毛染用具の別実施例として、櫛歯の根本部に近い位置で、かつ櫛歯側面に開口する吐出孔が穿孔された櫛歯を具えた櫛体と、その櫛基体部に廻動自在に取付けられ、櫛体を囲むことが可能な毛髪挟持部材と、毛染剤を収容した容器とからなる毛染用具であって、毛髪挟持部材が、挟持部と操作部とからなり、挟持部は、先端のすくい部と、すくい部に連設され、くの字状に屈曲された両側の挟持枠と、端枠とを具え、挟持枠は、毛染め時の毛髪挟持時に櫛歯の吐出孔が位置する根本部に近い部分の櫛体両側面を囲むようになっており、操作部は、毛髪挟持部材の廻動方向に押圧可能な押圧操作板であって、押圧操作板と櫛体の取付筒との間に、ばね体を弾装したことを特徴とする構成を採用する。
【０００８】
毛染剤用容器として、毛染剤を収容した容器が、スクイズ容器であって、操作部を操作して毛髪を挟持するとともに、胴部の押圧を可能としたことを特徴とする構成、または、毛染剤を収容した容器が、エァゾール容器であって、操作部を操作して毛髪を挟持するとともに、毛髪挟持部材を押下げることにより、ステムが押下げられるようにしたことを特徴とする構成を採用する。
【０００９】
毛髪挟持部材の実施例として、毛髪挟持部材の挟持枠に、最下端の櫛歯に対向する位置にストッパーを設けていることを特徴とする構成を採用する。
【００１０】
【発明の実施の形態】
次に、本発明の第１実施形態の毛染用具について、図面を参照して説明する。
図１において、Ａは櫛体、Ｂは櫛体に廻動自在に取付けられた毛髪挟持部材である。
Ｃは、二液の毛染剤を混合して収容するスクイズ容器である。
【００１１】
櫛体Ａは、取付筒１と、櫛基体部２と、該櫛基体部２に取着された櫛歯列３とからなっている。
取付筒１は、頂壁４と側周壁５とからなり、側周壁５の内周にはねじ６が螺設され、頂壁４下面には、パッキンｐが保持されている。
櫛基体部２は、取付筒１の頂壁４に立設され、内部に流通孔７が穿孔されている。
櫛基体部２の上端には、中実の櫛歯８ａが連設されており、下方に一定の間隔を置いて中実の櫛歯８ｂが連設され、その間は、櫛歯取付部９となっている。
【００１２】
櫛歯列３は、複数の櫛歯１０から成形され、中実の櫛歯８ａ，ｂの間で櫛歯取付部９に取着されている。
各櫛歯１０には、前記流通孔７に連通する透孔１１が設けられ、櫛歯１０の根本部に近い位置で、櫛歯側面に開口する吐出孔１２が穿孔されている。
【００１３】
図１，２に示すように、毛髪挟持部材Ｂは、挟持部Ｂ１と操作部Ｂ２とからなっており、挟持部Ｂ１は、先端を舟形状のすくい部１３とし、すくい部１３に連設され、くの字状に屈曲された挟持枠１４ａ，ｂと、挟持枠１４ａ，ｂの下端を結ぶ端枠１５とを具えている。
挟持枠１４ａ，ｂは、毛髪挟持時に櫛歯８，１０の両側面を囲むことができるように構成され、下端の櫛歯８ｂに対応する位置には、ストッパー１６が立設されている。
【００１４】
挟持枠１４ａ，ｂの屈曲部１７の内側には、枢支ピン１８が突設されており、櫛基体部２に設けられた軸受け穴に枢支されている。
操作部Ｂ２は、端枠１５に下方に屈曲するよう連設された支杆１９と、その下端に連設された指掛けリング２０とによって形成され、該指掛けリング２０は、毛髪挟持部材Ｂの長手方向の中心線を通る垂直面上、すなわち廻動面に沿って延設されている。
【００１５】
図１に示すように、スクイズ容器Ｃの口部２１にはねじ２２が螺設されており、胴部２３は可撓性を有しスクイズ可能となっている。
【００１６】
次に、本実施形態の毛髪用具の使用態様と作用効果について、図３，４を参照して説明する。
使用にあたっては、まず、二液の毛染剤をスクイズ容器Ｃに入れ、櫛体Ａの取付筒１をスクイズ容器Ｃの口部２１に螺着し、収容された二液を混合する。
次に、スクイズ容器Ｃを手のひらで把持し、操作部Ｂ２の指掛けリング２０に人差し指を掛け、染めたい毛髪部分をすくい上げ、すくい上げた毛髪を挟持枠１４と櫛歯８，１０の根本部との間に挟持する。
【００１７】
その際、挟持部Ｂ１の先端は、図３に示すように、舟形状のすくい部１３となっているので毛髪をすくい易くしており、すくった毛髪の側縁はストッパー１６で保持されるので、挟持枠１４を廻動させた場合に、すくい上げた毛髪を各櫛歯８，１０間にほぼ均等に割り付けることができる。
【００１８】
次いで、親指と中指の間でスクイズ容器Ｃの胴部２３を押圧操作すると、櫛歯１０の吐出孔１２から毛染剤が吐出され、櫛体Ａを移動させることによって、すくい上げた毛髪部分に毛染剤を塗布することができる。
その際、吐出孔１２は櫛歯１０の根本部に設けているので、すくい上げた毛髪を効果的に毛染めし、また、櫛歯１０の両側は、挟持枠１４で囲まれているので、毛染剤が周辺に流れ出すことはない。
【００１９】
櫛歯１０周辺の毛染剤がなくなった場合には、再びスクイズ容器Ｃ胴部２３を押圧操作すると、毛染剤を吐出することができる。
また、別の部分の毛髪に塗布する場合に、上記の操作を繰り返すことによって必要な部分に塗布することができる。
その際、操作部Ｂ２は、鋏のように取り扱うことができ、人差し指によって挟持操作を行い、親指とその他の指腹との間で押圧操作ができるので、毛染用具の取扱いが容易にできる。
【００２０】
上記実施形態では、毛染剤容器として、単層のスクイズ容器を用いているが、それに限定されず、積層の容器、あるいは二重容器、デラミボトルであってもよい。
【００２１】
次に、第２実施形態の毛染用具について、図面を参照して説明する。
本実施形態は、毛染剤容器としてエァゾール容器を用いたもので、前記実施形態との相違点を中心に説明する。
以下、前記実施形態と同一の部分については、添字ａを付して図示し、くわしい説明は省略する。
【００２２】
図５において、Ａａは櫛体、Ｂａは毛髪挟持部材、Ｄはエァゾール容器である。
エァゾール容器Ｄは、ステム３０を突出したハウジングと、ハウジングを把持するマウンテンカップ３１を具えており、マウンテンカップ３１の周縁３２を挟持するよう、等間隔に複数の案内溝３３を刻設した櫛体取着筒３４が取着されている。
【００２３】
エァゾール容器Ｄには、毛染剤と噴射促進剤とが収容されており、ステム３０が押下げられることによって、泡状毛染剤が噴射される。
【００２４】
櫛体Ａａは、取付筒４０と櫛基体部２ａと櫛歯列３ａとを具えている。
取付筒４０は、頂壁４１と側周壁４２とからなり、側周壁４２は、エァゾール容器Ｄに取着された櫛体取着筒３４に嵌挿されるようになっている。
側周壁４２内周には、案内溝３３に係合する案内リブ４３が突設されており、取付筒４０は、周方向の廻動が阻止され上下動自在にされている。
頂壁４１の下面には、ステム係合筒４４が垂設されており、ステム係合筒４４には、ステム３０の噴出孔に連通する通孔４５が穿孔されており、通路４６を介して櫛基体部２ａの流通孔７ａに連通している。
【００２５】
櫛基体部２ａと毛髪挟持部材Ｂａの構成は、前記第１実施形態と同一であるので、説明は省略する。
【００２６】
次に、本第２実施形態の使用態様と、作用効果について説明する。
図６に示すように、毛髪挟持部材Ｂａを操作することによって、毛染めしたい毛髪部分を挟持部Ｂ１ａで挟持し、次いで、操作部Ｂ２ａの指掛けリング２０ａを下方に引っ張ると、ステム係合筒４４がステム３０を押下げ、エァゾール容器Ｄから毛染剤が噴射され、通孔４５、通路４６、流通孔７ａを通って櫛歯１０ａの吐出孔１２ａから泡状毛染剤が吐出される。
【００２７】
毛髪挟持部材Ｂａの開閉、押下げは、手のひらでエァゾール容器Ｄを把持しつつ、毛髪挟持部材Ｂａの指掛けリング２０ａに人差し指をかけて行えるので、使い勝手はきわめてよい。
【００２８】
上記実施形態では、エァゾール容器Ｄとして金属製のエァゾール缶を用いているが、ＰＥＴその他の合成樹脂製のエァゾール容器、或いはデラミボトルを採用したエァゾール容器であってもよい。
【００２９】
次に、第３実施形態の毛染用具について、図面を参照して説明する。
本実施形態は、第１実施形態において、毛髪挟持部材の構成を変更したもので、前記実施形態との相違点を中心に説明する。
以下、第１実施形態と同一の部分については、添字ｂを付して図示し、くわしい説明は省略する。
【００３０】
図７において、Ａｂは櫛体、Ｂｂは毛髪挟持部材、Ｃｂは毛染剤を収容したスクイズ容器である。
毛髪挟持部材Ｂｂは、挟持部Ｂ１ｂと操作部Ｂ２ｂとからなり、櫛体Ａｂの櫛基体部２ｂに廻動自在に枢支されている。
挟持部Ｂ１ｂは、第１実施形態と同様に、すくい部５０と挟持枠５１ａ，ｂと、挟持枠５１ａ，ｂの下端を結ぶ端枠５２とを具えている。
【００３１】
操作部Ｂ２ｂは、端枠５２から下方に連設され、毛髪挟持部材Ｂｂの廻動方向に押圧可能な押圧操作板５３とばね体５４とからなっており、押圧操作板５３の表面には、指先が入る凹部５５が設けられている。
図８に示すように、ばね体５４は、湾曲板状に形成され、その下端面５６は、櫛体Ａｂの取付筒１ｂに接合し、押圧操作板５３を反時計方向に付勢している。
【００３２】
櫛歯体Ａｂ、スクイズ容器Ｃｂの構成は、第１実施形態と同一であるので、説明を省略する。
【００３３】
次に、本第３実施形態の作用効果について説明する。
本実施形態毛染用具は、第１実施形態と同様に使用されるが、毛髪挟持部材Ｂｂの挟持部Ｂ１ｂで毛染めすべき毛髪部分をすくい上げ挟持するときには、人差し指で押圧操作板５３を押さえるだけで容易にでき、親指と中指との間で、スクイズ容器Ｃｂの胴部を押圧操作することによって毛染剤を吐出させることができる。
必要な毛染めが終わったときには、指先を離すとばね体５４によつて毛髪挟持部材Ｂｂは元の位置に復帰し、次の毛髪部分の毛染めが行える。
【００３４】
前記第３実施形態としてスクイズ容器を用いた場合について説明したが、スクイズ容器に変えエァゾール容器を用いることもできる。
【００３５】
【発明の効果】
本発明は、上記のように構成されているから、次の効果を奏する。
毛髪挟持部材が、挟持部と操作部とからなり、操作部に毛髪挟持部材の廻動方向に延在する指掛けリングを設けたから、スクイズ容器の場合には、挟持操作とスクイズ容器の押圧操作が容易にできるようになった。
また、エァゾール容器の場合には、挟持操作とステム押下げ操作を容易にできるようになった。
【００３６】
また、操作部を廻動方向に押圧可能とした押圧操作板としたことによって、挟持操作と押圧操作が容易にできるようになった。
【図面の簡単な説明】
【図１】  第１実施形態毛染用具の縦断面図である。
【図２】  第１実施形態毛染用具の斜視図である。
【図３】  毛髪すくい時の説明図である。
【図４】  毛髪挟持時の説明図である。
【図５】  第２実施形態毛染用具の縦断面図である。
【図６】    毛髪挟持時の説明図である。
【図７】    第３実施形態毛染用具の斜視図である。
【図８】    第３実施形態毛染用具の縦断面図である。
【符号の説明】
Ａ、Ａａ、Ａｂ        櫛体
Ａｃ                  ブラシ体
Ｂ、Ｂａ、Ｂｂ        毛髪挟持部材
Ｂ１、Ｂ１ａ、Ｂ１ｂ  挟持部
Ｂ２、Ｂ２ａ、Ｂ２ｂ  操作部
Ｃ、Ｃｂ              スクイズ容器
Ｄ                    エァゾール容器
１、１ｂ、４０        取付筒
２、２ａ、２ｂ        櫛基体部
３、３ａ              櫛歯列
７、７ａ              流通孔
８ａ，ｂ              櫛歯
９                    櫛歯取付部
１０、１０ａ          櫛歯
１１                  透孔
１２、１２ａ          吐出孔
１３、５０            すくい部
１４ａ，ｂ、５１ａ，ｂ  挟持枠
１５、５２            端枠
１６                  ストッパー
１７                  屈曲部
１８                  枢支ピン
１９                  支杆
２０、２０ａ          指掛けリング
２１                  口部
２３                  胴部
３０                  ステム
３３                  案内溝
３４                  櫛体取着筒
４３                  案内リブ
４４                  ステム係合筒
４５                  通孔
５３                  押圧操作板
５４                  ばね体
【図１】
0004333860.tif 000002
【図２】
0004333860.tif 000003
【図３】
0004333860.tif 000004
【図４】
0004333860.tif 000005
【図５】
0004333860.tif 000006
【図６】
0004333860.tif 000007
【図７】
0004333860.tif 000008
【図８】
0004333860.tif 000009